(57)【要約】【課題】払拭シートを封入した袋体をベビーカー等に容易に取り付けるこが可能な取付具を提供する。【解決手段】取付具１０は、払拭シートを封入した袋体Ｐの側縁部Ｓを挟持する挟持部１１と、この挟持部１１の一部に取り付けられた引掛部１２とから構成される。主辺部１１ａの長手方向と、袋体Ｐの側縁部Ｓの長手方向とが平行になるように取付具１０を配置し、副辺部１１ｂの２つの片部１１ｇ、１１ｈを屈曲部１１ｃで折り返して側縁部Ｓを挟み込む。孔部１１ｅ、１１ｆ及び突部１１ｉ、１１ｊとを側縁部Ｓを挟んで係合することにより、挟持部１１は袋体Ｐの側縁部Ｓと一体化され、引掛部１２をベビーカーのフレームに引っ掛けることで、袋体Ｐをベビーカーから吊り下げることが可能である。【選択図】図３
2020083399.tif 000002
【特許請求の範囲】
【請求項１】
袋体の側縁部を挟持する挟持部と、該挟持部の一部に取り付けた引掛部とから構成される取付具であって、
前記挟持部は、主辺部及び副辺部から成り、前記主辺部及び前記副辺部は、ヒンジ状の屈曲部を介して連続していることを特徴とする取付具。
【請求項２】
前記屈曲部は長方形状である前記主辺部の長手方向に平行して、配置されていることを特徴とする請求項１に記載の取付具。
【請求項３】
前記主辺部に設けた一対の孔部又は突部と、前記副辺部に設けた突部又は孔部とを前記側縁部を挟んで係合することで前記挟持部を前記側縁部に挟持させることを特徴とする請求項２に記載の取付具。
【請求項４】
前記屈曲部は、長方形状である前記主辺部の短手方向に平行して配置されており、前記主辺部及び前記副辺部は、前記屈曲部を介して直線状に連続していることを特徴とする請求項１に記載の取付具。
【請求項５】
前記主辺部及び前記副辺部は、一端同士において前記屈曲部により開閉可能に連結され、他端同士において被係止部及び係止部により係止可能とされていることを特徴とする請求項４に記載の取付具。
【請求項６】
前記引掛部は、軸部により前記主辺部に軸支されたフック体であることを特徴とする請求項１〜５の何れか１項に記載の取付具。
【請求項７】
前記引掛部は、一端が前記主辺部に連結され、他端が自由端である紐状体であり、前記他端を前記主辺部に係止可能であることを特徴とする請求項１〜５の何れか１項に記載の取付具。
【請求項８】
前記引掛部は、両端が前記主辺部に連結された紐状体であることを特徴とする請求項１〜５の何れか１項に記載の取付具。
【請求項９】
前記袋体は、払拭シートを封入したものであることを特徴とする請求項１〜８の何れか１項に記載の取付具。
【発明の詳細な説明】
【技術分野】
【０００１】
本発明は、ウェットティッシュ等の払拭シートを封入した袋体に取り付け、ベビーカー等から吊り下げ可能な取付具に関するものである。
【背景技術】
【０００２】
乳児に対しては、ウェットティッシュから成る尻拭シートを大量に使うため、常に尻拭シートを封入したウェットティッシュ袋を持ち歩くことになる。この種のウェットティッシュは、皮膚に付着した汚れを拭き取るためのものであって、基材シートである不織布に、水及び低刺激性のアルコール類、その他の添加剤を含浸させたものである。
【０００３】
特許文献１には、ベビーカーに対して吊り下げることが可能なウェットティッシュペーパー収納容器が開示されている。これにより、カバン等の中から尻拭紙を探すことなく、必要に応じて直ちに使用することができる。
【先行技術文献】
【特許文献】
【０００４】
【特許文献１】実用新案登録第３１９０８７４号公報
【発明の概要】
【発明が解決しようとする課題】
【０００５】
しかし、特許文献１の収納容器は、市販のウェットティッシュ袋を収納容器に収容する作業が発生すると共に、ベビーカーに取り付ける際は留め金具を一旦、外した後に、実施例３のフレームに引っ掛けて留め具を取り付ける必要があり、面倒である。
【０００６】
本発明の目的は、上述の課題を解決し、ウェットティッシュ等の払拭シートを封入した市販の袋体を、ベビーカー等に容易に取り付けることが可能な取付具を提供することにある。
【課題を解決するための手段】
【０００７】
上記目的を達成するための本発明に係る取付具は、袋体の側縁部を挟持する挟持部と、該挟持部の一部に取り付けた引掛部とから構成される取付具であって、前記挟持部は、主辺部及び副辺部から成り、前記主辺部及び前記副辺部は、ヒンジ状の屈曲部を介して連続していることを特徴とする。
【発明の効果】
【０００８】
本発明に係る取付具によれば、ウェットティッシュ等の払拭シートを封入した市販の袋体の側縁部に挟持部を取り付け、挟持部に設けた引掛部を介して袋体を容易にベビーカーのフレーム等に引っ掛けることが可能である。
【図面の簡単な説明】
【０００９】
【図１】実施例１の取付具の引掛部の回動後の平面図である。
【図２】実施例１の取付具の引掛部の回動前の平面図である。
【図３】取付具をウェットティッシュ袋に取り付けた状態の斜視図である。
【図４】取付具をベビーカーに取り付けた状態の斜視図である。
【図５】実施例２の取付具の組立て前の平面図である。
【図６】取付具をベビーカーのフレームに取り付けた状態の斜視図である。
【図７】実施例３の取付具をベビーカーに括り付けた状態の斜視図である。
【図８】別形態の取付具の斜視図である。
【図９】実施例４の取付具の主辺部と副辺部を開いた状態の斜視図である。
【図１０】取付具をウェットティッシュ袋に取り付けた際の斜視図である。
【発明を実施するための形態】
【００１０】
本発明を図示の実施例に基づいて詳細に説明する。
【実施例１】
【００１１】
図１は実施例１の取付具１０の引掛部の回動後の平面図であり、図２は取付具１０の引掛部の回動前の平面図であり、図３は取付具１０をウェットティッシュ等の払拭シートを封入した市販の袋体Ｐに取り付けた状態の斜視図である。
【００１２】
取付具１０は、払拭シートを封入した袋体Ｐの側縁部Ｓを挟持する挟持部１１と、この挟持部１１の一部に取り付けられたフック形状の引掛部１２とから構成されている。
【００１３】
挟持部１１はポリプロピレン、ＰＥＴ樹脂等の合成樹脂から成り、２つ折りである主辺部１１ａ及び副辺部１１ｂは、ヒンジ状の屈曲部１１ｃを介して連続している。屈曲部１１ｃは長方形状である主辺部１１ａの長手方向に平行して配置されている。
【００１４】
主辺部１１ａの中央部には、軸部１１ｄにより偏平形状の引掛部１２が回転自在に取り付けられている。また、主辺部１１ａの両端には、主辺部１１ａの面に後述する突部が挿入可能な孔部１１ｅ、１１ｆがそれぞれ設けられている。
【００１５】
これらの孔部１１ｅ、１１ｆは、主辺部１１ａを貫通する貫通孔であってもよいし、主辺部１１ａの面に直交する円筒体を設け、この円筒体の頂面を穴状に刳り抜いたものであってもよい。
【００１６】
副辺部１１ｂは、主辺部１１ａの両端に対応する片部１１ｇ、１１ｈから構成されている。そして、片部１１ｇ、１１ｈには、片部１１ｇ、１１ｈの面に直交し、主辺部１１ａの孔部１１ｅ、１１ｆに挿通可能な突部１１ｉ、１１ｊがそれぞれ設けられている。
【００１７】
なお、突部１１ｉ、１１ｊは図１、図２の副辺部１１ｂの裏面側に立設されているため、点線で示しており、先端が尖った形状をしている。また、主辺部１１ａの一対の孔部１１ｅ、１１ｆと、片部１１ｇ、１１ｈの突部１１ｉ、１１ｊとの配置は逆であってもよい。
【００１８】
そして、突部１１ｉ、１１ｊには返し部が付設されており、一旦、孔部１１ｅ、１１ｆ内に挿入されると、力を掛けて突部１１ｉ、１１ｊを引き抜かない限り、容易には抜けないようにされている。
【００１９】
なお、実施例１の取付具の副辺部１１ｂは、離間する片部１１ｇ、１１ｈから構成されているが、主辺部１１ａ同様に１つの連続する部材から構成してもよい。
【００２０】
使用に際しては、先ず図２に示す引掛部１２の回動する前の状態から、図１に示す引掛部１２を回動した状態にする。なお、図２に示す９０度横にした状態は、嵩張ることなく取付具１０を運搬することが可能である。軸部１１ｄを設けずに、図１に示すように引掛部１２を固定しておいてもよい。
【００２１】
続いて、正面が長方形である袋体Ｐの短辺側の側縁部Ｓに挟持部１１を取り付ける。主辺部１１ａの長手方向と、側縁部Ｓの長手方向とが平行になるように取付具１０を配置し、副辺部１１ｂの２つの片部１１ｇ、１１ｈを屈曲部１１ｃで折り返して側縁部Ｓを挟み込む。
【００２２】
その際に、片部１１ｇ、１１ｈの突部１１ｉ、１１ｊを側縁部Ｓに突き刺し、更に主辺部１１ａの孔部１１ｅ、１１ｆに挿入する。このように孔部１１ｅ、１１ｆ及び突部１１ｉ、１１ｊとを側縁部Ｓを挟んで係合することにより、挟持部１１は袋体Ｐの側縁部Ｓと一体化される。このように、図３に示す状態として準備が完了する。
【００２３】
ベビーカーＢに取り付ける際は、図４に示すように袋体Ｐと一体化した取付具１０の引掛部１２を、ベビーカーＢのフレームＦに引っ掛けることで、袋体ＰをベビーカーＢから吊り下げることが可能である。袋体Ｐを使用するには、袋体Ｐの表面の取出口のフィルム体を剥がして、ウェットティッシュを適宜に取り出せばよい。
【実施例２】
【００２４】
図５は実施例２の取付具１０’の組立て前の平面図であり、図６は袋体Ｐに取り付けた取付具１０’を、ベビーカーＢのフレームＦに取り付けた状態の斜視図である。
【００２５】
実施例１の取付具１０及び実施例２の取付具１０’の違いは、実施例１の取付具１０の引掛部１２は、軸部１１ｄに軸支されたフック体であるのに対して、実施例２の引掛部１２’は、一端を固定した紐状体である。
【００２６】
引掛部１２’の一端は、接続部１１ｄ’を介して主辺部１１ａに連結されており、他端は係止孔１２ａを有し、自由端とされている。また、主辺部１１ａには係止孔１２ａに挿通させて、引掛部１２’の先端を係止する係止片部１１ｋが設けられている。なお、引掛部１２’は主辺部１１ａと一体に成型されているが、引掛部１２’を別体とし、一端を主辺部１１ａに固定するようにしてもよい。
【００２７】
使用に際しては、先ず実施例１の取付具１０と同様に、袋体Ｐの短辺側の側縁部Ｓに挟持部１１を取り付ける。そして、自由端である係止孔１２ａの端部を、ベビーカーＢのフレームＦに通した後に、係止片部１１ｋに係止孔１２ａを通して引っ掛ける状態にして、ベビーカーＢに取り付ける。なお、これらの係止機構は、面ファスナや磁石等を用いてもよい。
【００２８】
その後の使用方法は実施例１と同様である。係止片部１１ｋと係止孔１２ａとの係止状態を解除することで、ベビーカーＢから取付具１０’を取り外すことができる。
【実施例３】
【００２９】
図７は実施例３の取付具１０”を袋体Ｐに取り付け、更に取付具１０’を、ベビーカーＢのフレームＦに括り付けた状態の斜視図である。
【００３０】
実施例２の取付具１０’及び実施例３の取付具１０”の違いは、実施例２の取付具１０’の引掛部１２’は、一端が固定され、他端が自由端である紐状体であるのに対して、実施例３の引掛部１２”は、両端が固定された紐状体である。
【００３１】
引掛部１２”の両端は、一対の接続部１１ｄ”を介して主辺部１１ａに連結されており、引掛部１２”の長さは、引掛部１２”の中間部１２ａ’を通して、図７に示すようにフレームＦに括り付けるため取付具１０’に比べて長くしている。なお、引掛部１２”は主辺部１１ａと一体に成型されているが、引掛部１２”を別体とし、両端を主辺部１１ａに固定するようにしてもよい。
【００３２】
また、図８は別形態の実施例３の取付具１０”の斜視図であり、挟持部１１は一対の主辺部１１ａ’と、これらの主辺部１１ａ’と屈曲部１１ｃ’を介して連続する副辺部１１ｂ’とから構成されている。紐状体である引掛部１２”は、両端を挟持部１１に取り付けられ、離間する挟持部１１を連結している。
【実施例４】
【００３３】
図９は実施例４の取付具２０の主辺部２１ａと副辺部２１ｂとを開いた状態の斜視図であり、図１０は取付具２０を袋体Ｐに取り付けた際の斜視図である。
【００３４】
実施例４の取付具２０は、挟持部２１と、この挟持部２１の一部に取り付けられたフック形状の引掛部２２とから構成されている。合成樹脂製である挟持部２１の主辺部２１ａ及び副辺部２１ｂは、ヒンジ状の屈曲部２１ｃを介して直線状に連続している。この屈曲部２１ｃは長方形状である主辺部２１ａの短手方向に平行して配置されている。
【００３５】
主辺部２１ａ及び副辺部２１ｂは、一端同士において屈曲部２１ｃにより開閉可能に連結され、他端同士において被係止部２１ｄ及び係止部２１ｅにより係止可能とされている。また、主辺部２１ａと副辺部２１ｂの少なくとも一方の内面に、長方形状の突辺部２１ｆが形成されている。
【００３６】
また、主辺部２１ａの中央部分の外側には、実施例１の取付具１０と同様に、図示しない軸部を介して回動自在に引掛部２２が取り付けられている。
【００３７】
袋体Ｐへの取り付けに際しては、側縁部Ｓを主辺部２１ａと副辺部２１ｂとで強く挟み付けて、被係止部２１ｄ及び係止部２１ｅにより係止する。これにより、主辺部２１ａ、副辺部２１ｂの内側に設けられた突辺部２１ｆが側縁部Ｓに食い込み、取付具４は袋体Ｐに固着される。
【００３８】
ベビーカーＢに取り付けるには、取付具２０の引掛部２２をベビーカーＢのフレームＦに係止すれば、袋体ＰはベビーカーＢから吊り下げられることになる。その後の使用方法は実施例１の取付具１０と同様である。
【００３９】
また、引掛部２２を軸部に軸支されたフック体に代えて、実施例２の取付具１０’の引掛部１２’や実施例３の取付具１０”の引掛部１２”を採用することもできる。
【００４０】
このように、本発明に係る取付具１０、１０’、１０”、２０によれば、ウェットティッシュ等の払拭シートを封入した市販の袋体Ｐの側縁部Ｓに挟持部１１、２１を取り付け、挟持部１１、２１に設けた引掛部１２、１２’、１２”、２２を介して袋体Ｐを容易にベビーカーＢのフレームＦ等に引っ掛けることが可能である。
【００４１】
また、袋体Ｐのウェットティッシュがなくなった場合は、袋体Ｐの側縁部Ｓの挟持部１１、２１の挟持状態を解除して、新しい袋体Ｐと交換して使用することもできる。
【符号の説明】
【００４２】
１０、１０’、１０”、２０  取付具
１１、２１  挟持部
１１ａ、２１ａ  主辺部
１１ｂ、２１ｂ  副辺部
１１ｃ、２１ｃ  屈曲部
１１ｄ  軸部
１１ｅ、１１ｆ  孔部
１１ｉ、１１ｊ  突部
１２、１２’、１２”、２２  引掛部
２１ｄ  被係止部
２１ｅ  係止部
【図１】
2020083399.tif 000003
【図２】
2020083399.tif 000004
【図３】
2020083399.tif 000005
【図４】
2020083399.tif 000006
【図５】
2020083399.tif 000007
【図６】
2020083399.tif 000008
【図７】
2020083399.tif 000009
【図８】
2020083399.tif 000010
【図９】
2020083399.tif 000011
【図１０】
2020083399.tif 000012